(57)【特許請求の範囲】
【請求項１】
施錠位置および解錠位置の一方から他方に移動可能なカムと、
前記カムを前記施錠位置および前記解錠位置の一方から他方に移動させるツマミと、
前記ツマミを回動不能にする規制状態、および前記ツマミを回動可能にする許容状態の一方から他方に移行可能な施解錠機構と、
前記施解錠機構に電力を供給する電源部と、
前記施解錠機構に前記電力が供給されていない状態において、前記施解錠機構を前記規制状態から前記許容状態に移行可能な非常解錠機構と、を有して構成された電気錠において、
前記施解錠機構、前記電源部、および、前記非常解錠機構を、一つのケースに収容し、
前記施解錠機構は、ソレノイドによって駆動されるプランジャーを備え、
前記プランジャーを前記ソレノイド側に移動させる第一の方向の力が加えられた場合に、前記プランジャーに前記第一の方向とは反対の第二の方向の力を加える衝撃対策機構を備え、
前記衝撃対策機構を構成する部品と、前記非常解錠機構を構成する部品の少なくとも一部が兼用されていることを特徴とする電気錠。
【請求項２】
請求項１に記載の電気錠において、
前記電気錠が扉に設置された状態において、前記電源部が、前記施解錠機構よりも前記扉の戸先から遠い位置に配置されることを特徴とする電気錠。
【請求項３】
請求項１に記載の電気錠において、
前記衝撃対策機構は、回転自在に配設されたセンスカムと、前記センスカムの回転に伴って前記プランジャーに前記第二の方向の力を加えるスライダと、を有して構成されることを特徴とする電気錠。
【発明の詳細な説明】
【技術分野】
【０００１】
本発明は、電気を駆動源とする電気錠に関する。
【背景技術】
【０００２】
従来、ＩＣタグで押圧操作可能としたプッシュボタンを備え、ＩＣタグによる押圧時に、プッシュボタン裏側中央に設けられた突起で押されることで電源がＯＮとなり、ＩＣタグによるデータの送受信と錠前装置の施錠・開錠作動を行えるように構成した電気錠が知られている（例えば、特許文献１参照）。
【先行技術文献】
【特許文献】
【０００３】
【特許文献１】特許第４６４３３４０号
【発明の概要】
【発明が解決しようとする課題】
【０００４】
しかしながら、上記特許文献１記載の電気錠は、施解錠機構を収容する錠ケースとは別に、施解錠機構に電力を供給するための電池収容ケースを備えているため、装置が大きく、取付場所の自由度が低いといった問題点があった。
【０００５】
また、電気錠に対して故意に衝撃が加えられた場合に、ソレノイドのプランジャーが誤作動し、電気錠が施錠状態から解錠状態になってしまうことがあり、安全性についても課題を有している。
【０００６】
本発明は、このような従来の問題点を解決するためのものであって、従来よりも小型化が可能で、取付場所の自由度を向上できるとともに、外部からの衝撃による誤動作を防止し、安全性を高めることができる電気錠を提供することを目的とする。
【課題を解決するための手段】
【０００７】
本発明は、施錠位置および解錠位置の一方から他方に移動可能なカムと、前記カムを前記施錠位置および前記解錠位置の一方から他方に移動させるツマミと、前記ツマミを回動不能にする規制状態、および前記ツマミを回動可能にする許容状態の一方から他方に移行可能な施解錠機構と、前記施解錠機構に電力を供給する電源部と、前記施解錠機構に前記電力が供給されていない状態において、前記施解錠機構を前記規制状態から前記許容状態に移行可能な非常解錠機構と、を有して構成された電気錠において、前記施解錠機構、前記電源部、および、前記非常解錠機構を、一つのケースに収容し、前記施解錠機構は、ソレノイドによって駆動されるプランジャーを備え、前記プランジャーを前記ソレノイド側に移動させる第一の方向の力が加えられた場合に、前記プランジャーに前記第一の方向とは反対の第二の方向の力を加える衝撃対策機構を備え、前記衝撃対策機構を構成する部品と、前記非常解錠機構を構成する部品の少なくとも一部が兼用されていることを特徴とする電気錠である。
【発明の効果】
【０００８】
本発明に係る電気錠によれば、従来よりも小型化が可能で、取付場所の自由度を向上できるとともに、外部からの衝撃による誤動作を防止し、安全性を高めることができるという優れた効果を奏し得る。
【図面の簡単な説明】
【０００９】
【図１】電気錠の正面図である。
【図２】電気錠の左側面図である。
【図３】電気錠の背面図である。
【図４】電気錠を構成する主要部品を分解して示した分解斜視図である。
【図５】電気錠を構成する主要部品の一部を透過して示した正面図である。
【図６】電気錠から施解錠機構を構成する主要部品だけを抜き出して示した部分拡大図である。
【図７】電気錠から施解錠機構と非常解錠機構を構成する主要部品だけを抜き出して示した正面図である。
【図８】図７を背面方向から見た背面図である。
【図９】非常解錠機構の基本動作を説明するための説明図である。
【発明を実施するための形態】
【００１０】
以下、図面を用いて、本実施形態に係る電気錠１０について詳細に説明する。
【００１１】
＜全体構成＞
最初に、図１〜図５を用いて、本実施形態に係る電気錠１０の全体構成について説明する。なお、図１は、電気錠１０の正面図であり、図２は、電気錠１０の左側面図であり、図３は、電気錠１０の背面図である。また、図４は、電気錠１０を構成する主要部品を分解して示した分解斜視図であり、図５は、電気錠１０を構成する主要部品の一部を透過して示した正面図である。
【００１２】
電気錠１０は、前面に開口部を有する箱状のケース１２と、このケース１２の開口部を覆うようにケース１２の前面に取り付けられる板状の化粧板１４と、この化粧板１４の上方に配置される矩形状のボタン１６と、ケース１２と化粧板１４によって形成される空間内に収容される電源部３０，施解錠機構４０（図４に示すロックカム４２、スライドロック４３等で構成される機構。詳細は後述），非常解錠機構５０（図４に示す内筒５２、外筒５３等で構成される機構。詳細は後述），および電子基板６０と、施解錠機構４０のロックカム４２の後端にネジ１８で固定される長板状のカム２０と、このカム２０をロックカム４２を介して回動可能なツマミ２２と、図示しないスプリングを介してケース１２に嵌め込まれてケース１２に対して進退可能なラッチ２４と、有して構成される。
【００１３】
この電気錠１０は、ロッカーやキャビネットなどの扉の戸先などに取り付けられて使用される錠前である。電気錠１０の使用者が、指などでボタン１６を押下操作すると、このボタン１６の背面に配置されたスイッチ６０ａ（図４参照）がボタン１６に押されてオフ状態からオン状態となる。スイッチ６０ａがオン状態になると、電源部３０に収容された電池からの電力が、電子基板６０やソレノイド４４等の電子部品に供給され、電気錠１０は、電子基板６０によるＩＣカードとのデータの送受信や、ソレノイド４４の動作が可能な電源オン状態となる。
【００１４】
この電源オン状態において、電気錠１０の使用者が、ボタン１６近傍にＩＣカードを近付けると、ボタン１６の背面に配置された電子基板６０がＩＣカードからＩＤ情報の読み取りを開始する。電子基板６０が読み取ったＩＤ情報が、予め登録された正規なＩＤ情報である場合には、ソレノイド４４のプランジャー４４ａによってスライドロック４３が規制位置（図６（ｂ）に示す位置）から許容位置（図６（ａ）に示す位置）に移動することで、ロックカム４２とツマミ２２が回動可能な状態となる。
【００１５】
スライドロック４３が許容位置に移動している状態において、電気錠１０の使用者が、ツマミ２２によってカム２０を解錠位置（図６（ａ）に示す位置）から施錠位置（図６（ｂ）に示す位置）まで回動すると、カム２０の先端が扉の戸先から突出してロッカーやキャビネットなどの本体と係合することで、扉の開閉が不可能な状態（施錠状態）となる。一方、ツマミ２２によってカム２０を施錠位置から解錠位置まで回動すると、カム２０の先端がロッカーやキャビネットなどの本体から退出することで、扉の開閉が可能な状態（解錠状態）となる。
【００１６】
＜ケース＞
次に、図５を用いて、電気錠１０のケース１２について説明する。ケース１２は、主として、電源部３０が収容可能な電源収容部１２ａと、後述する施解錠機構４０を収容可能な施解錠機構収容部１２ｂと、後述する非常解錠機構５０を収容可能な非常解錠機構収容部１２ｃの３つの収容部を有する。
【００１７】
電源収容部１２ａは、ケース１２の正面視右上の内側空間に配置され、この電源収容部１２ａには、本例では、４本の単三電池が収容可能な電池ボックスが収容される。また、施解錠機構収容部１２ｂは、電源収容部１２ａの側方（ケース１２の正面視左側）の内側空間に配置され、非常解錠機構収容部１２ｃは、電源収容部１２ａの下方（ケース１２の正面視右下）の内側空間に配置される。すなわち、施解錠機構収容部１２ｂと非常解錠機構収容部１２ｃは、ケース１２が有する内側空間のうち、電源収容部１２ａが占める内側空間を除いた正面視略Ｌ字形状の内側空間に配置される。
【００１８】
また、本例では、電気錠１０が扉に設置された状態において、電源収容部１２ａが施解錠機構収容部１２ｂよりも扉の戸先から遠い位置に配置されるように構成されている。電源収容部１２ａには複数の単三電池が収容されるため、電気錠１０の重心は電気錠１０の中心よりも電源収容部１２ａ付近に偏心することになるが、本例では、電源収容部１２ａを扉の戸先から離れた位置、すなわち、扉の開閉時に扉の戸先よりも遠心力の影響を受けにくい位置、に配置しているため、電源収容部１２ａを扉の戸先に近い位置に配置した場合に比べ、扉の開閉時に電気錠１０全体が受ける荷重を低減することができ、扉の開閉による電気錠１０の故障や劣化を未然に防止することができる。
【００１９】
＜ボタン＞
次に、図４を用いて、電気錠１０のボタン１６について説明する。ボタン１６は、正面視右下隅と左下隅の２箇所に突出形成された凸部１６ａを備えている。この凸部１６ａが化粧板１４の中央の左右両側に形成された凹部１４ａに嵌め込まれることで、ボタン１６は、化粧板１４の２箇所の凹部１４ａを支点として化粧板１４の厚み方向に回動可能である。
【００２０】
また、ボタン１６の背面と、化粧板１４の正面に形成されたスプリング受け１４ｂとの間には、コイルスプリング１５が縮設され、このコイルスプリング１５によって、ボタン１６は化粧板１４から離反する方向に常時、付勢される。これにより、ボタン１６は、化粧板１４から僅かに手前方向に突出した状態で維持される。
【００２１】
また、ボタン１６の背面側に配置される電子基板６０には、ボタン１６側の面に、電源部３０から電子部品への電力供給を開始するためのスイッチ６０ａが配設されている。電気錠１０の使用者が、コイルスプリング１５の付勢力に逆らってボタン１６を指などで押下操作すると、ボタン１６によってスイッチ６０ａが押されることでスイッチ６０ａがオフ状態からオン状態になり、電源部３０（電池）からの電力が電子基板６０やソレノイド４４等の電子部品に供給される。これにより、電気錠１０に搭載された電子部品が作動可能な状態となり、電気錠１０は、電子基板６０によるＩＣカードとのデータの送受信や、ソレノイド４４の動作等が可能な電源オン状態となる。
【００２２】
＜施解錠機構＞
次に、図４〜図６を用いて、施解錠機構４０について説明する。なお、図６は、電気錠１０から施解錠機構４０を構成する主要部品だけを抜き出して示した部分拡大図である。
【００２３】
施解錠機構４０は、ツマミ２２が嵌め込まれてツマミ２２に連動して回転するロックカム４２と、このロックカム４２の回動を規制する規制位置（図６（ｂ）に示す位置）とロックカム４２の回動を許容する許容位置（図６（ａ）に示す位置）との間を上下方向にスライド可能なスライドロック４３と、このスライドロック４３に係合されてスライドロック４３を上下方向に駆動可能なプランジャー４４ａを備えるソレノイド４４と、このソレノイド４４とスライドロック４３の間に縮設されてスライドロック４３とプランジャー４４ａをソレノイド４４から離反する方向に付勢するコイルスプリング４５（図６のみに図示）と、ロックカム４２に同軸的に嵌め込まれてロックカム４２を回転軸として相対回転可能なセンスカム４６と、このセンスカム４６の正面視右側に突出形成された突出部４６ａとスライドロック４３に係合されて上下方向にスライド可能な板状のスライダ４７と、を有して構成されている。
【００２４】
＜施解錠機構／ロックカム＞
次に、施解錠機構４０のロックカム４２について説明する。ロックカム４２は、円柱形状の部材からなり、ケース１２に形成された貫通孔１２ｄ（図４参照）に回転可能に配設される。また、ロックカム４２の前方端部には、ツマミ２２が着脱可能なツマミ取付部４２ａが突出形成され、後方端部には、カム２０を固定するためのネジ１８が取り付けられるネジ止め部（図示省略）が形成されている。また、ロックカム４２の外周部には、スライドロック４３の下端部と係合可能な扇形状の係合部４２ｂが、外周方向外側に向けて突出形成されている。
【００２５】
図６（ａ）に示すように、スライドロック４３がプランジャー４４ａによって上方に駆動されて許容位置まで移動している状態では、ロックカム４２の係合部４２ｂがスライドロック４３に係合することがないため、ロックカム４２は、スライドロック４３によって回転が規制されることはない。
【００２６】
一方、図６（ｂ）に示すように、スライドロック４３がプランジャー４４ａによって下方に駆動されて規制位置まで移動している状態では、ロックカム４２の係合部４２ｂがスライドロック４３に係合するため、ロックカム４２は、スライドロック４３によって回転が規制される。
【００２７】
＜施解錠機構／スライドロック＞
次に、施解錠機構４０のスライドロック４３について説明する。スライドロック４３は、ソレノイド４４のプランジャー４４ａの下端部に係合され、プランジャー４４ａの動作に連動して、上述の規制位置と許容位置との間を上下方向に移動可能である。
【００２８】
また、スライドロック４３は、前方に突出形成された突出部４３ａ（図４参照）を備える。この突出部４３ｂは、スライダ４７に形成された第１貫通孔４７ａと係合可能な位置に配置されることで、スライドロック４３は、スライダ４７によって上下方向の移動が規制される。
【００２９】
＜施解錠機構／ソレノイド＞
次に、施解錠機構４０のソレノイド４４について説明する。ソレノイド４４は、ケース１２に固定され、電源部３０から電力の供給を受けている場合（電気錠１０が電源オン状態の場合）に動作可能である。また、ソレノイド４４は、スライドロック４３を上下方向に駆動可能な棒状体のプランジャー４４ａを備え、電子基板６０から受信する制御信号に従ってプランジャー４４ａを所定量だけ上下方向に駆動可能である。
【００３０】
なお、ソレノイド４４は、内部にコイルを備え、着磁性能を有しているため、ソレノイド４４のプランジャー４４ａには、常にソレノイド４４の方向に戻ろうとする力（スライドロック４３を規制位置から許容位置に移動させようとする力）が働くことになる。そこで、本例では、コイルスプリング４５をソレノイド４４とスライドロック４３の間に縮設することで、外部からの衝撃などによってプランジャー４４ａがソレノイド４４の方向に戻らないように（スライドロック４３が規制位置から許容位置に移動しないように）、スライドロック４３をソレノイド４４から離反させる方向に常時、付勢している。
【００３１】
＜施解錠機構／センスカム＞
次に、施解錠機構４０のセンスカム４６について説明する。センスカム４６は、リング形状の部材からなり、ロックカム４２に同軸的に嵌め込まれてロックカム４２を回転軸として相対回転可能に配設される。また、センスカム４６は、正面視左側に、スライダ４７の切欠部４７ｃと係合可能な突出部４６ａを備え、正面視右側に、外周方向に突出形成された扇形状の重り部４６ｂを備える。また、センスカム４６は、正面視下側に、後述する非常解錠機構５０の非常スライダ５５と係合される切欠部４６ｃを備える。
【００３２】
センスカム４６には、重り部４６ｂの自重によって正面視時計回りに回転しようとする力が常時、働いているが、重り部４６ｂとは反対側に配置された突出部４６ａがスライダ４７と係合することで、正面視時計回りの回転がスライダ４７によって規制されている。一方、外部からの衝撃などによって重り部４６ｂに荷重が加わり、センスカム４６が正面視反時計回りに回転しようとすると、突出部４６ａを介してスライダ４７が下方向にスライドされ、このスライダ４７を介してスライドロック４３に下方向の力が加えられる。
【００３３】
＜施解錠機構／スライダ＞
次に、施解錠機構４０のスライダ４７について説明する。スライダ４７は、薄板状の部材からなり、スライドロック４３の突出部４３ａと係合される第１貫通孔４７ａと、ケース１２に固定されるピン４８が挿通される第２貫通孔４７ｂと、センスカム４６の突出部４６ａと係合される切欠部４７ｃと、を備える。
【００３４】
＜施解錠機構の基本動作＞
次に、施解錠機構４０の基本動作について説明する。上述のとおり、ＩＤカードから読み取ったＩＤ情報が、予め登録された正規なＩＤ情報である場合には、電子基板６０からソレノイド４４に対して、プランジャー４４ａを上方向に移動させるための制御信号が送信され、プランジャー４４ａに係合されたスライドロック４３が、規制位置（図６（ｂ）に示す位置）から許容位置（図６（ａ）に示す位置）に移動する。
【００３５】
スライドロック４３が許容位置に移動している状態では、ロックカム４２の回転がスライドロック４３によって規制されないため、電気錠１０の使用者は、ツマミ２２を用いてカム２０による施解錠操作を行うことが可能である。
【００３６】
一方、ＩＤカードから読み取ったＩＤ情報が、予め登録された正規なＩＤ情報でない場合には、電子基板６０からソレノイド４４に対して、プランジャー４４ａを上方向に移動させるための制御信号が送信されないため、プランジャー４４ａに係合されたスライドロック４３は規制位置（図６（ｂ）に示す位置）のままである。
【００３７】
スライドロック４３が規制位置に移動している状態では、ロックカム４２の回転がスライドロック４３によって規制されるため、電気錠１０の使用者は、ツマミ２２を用いてカム２０による施解錠操作を行うことができない。
【００３８】
なお、スライドロック４３が許容位置に移動している状態で、電気錠１０の使用者が、ボタン１６近傍にＩＣカードを近付けると、ボタン１６の背面に配置された電子基板６０がＩＣカードからＩＤ情報の読み取りを開始する。そして、読み取ったＩＤ情報が、予め登録された正規なＩＤ情報である場合には、電子基板６０からソレノイド４４に対して、プランジャー４４ａを下方向に移動させるための制御信号が送信され、プランジャー４４ａに係合されたスライドロック４３が、許容位置から規制位置に移動し、ツマミ２２を用いてカム２０による施解錠操作を行うことができない状態となる。
【００３９】
＜施解錠機構の衝撃対策＞
次に、施解錠機構４０の衝撃対策について説明する。上述のとおり、ソレノイド４４は、内部にコイルを備え、着磁性能を有しているため、ソレノイド４４のプランジャー４４ａには、常にソレノイド４４の方向に戻ろうとする力（スライドロック４３を規制位置から許容位置に移動させようとする力）が働くことになる。
【００４０】
本例では、外部から故意に衝撃などが加えられた場合にプランジャー４４ａがソレノイド４４の方向に戻らないように（スライドロック４３が規制位置から許容位置に移動しないように）、コイルスプリング４５を配設し、スライドロック４３をソレノイド４４から離反させる方向に常時、付勢しているが、コイルスプリング４５の付勢力よりも大きな衝撃が加えられる場合も想定される。
【００４１】
そこで、本例では、センスカム４６に重り部４６ｂを設け、外部から衝撃などを受けた場合に、重り部４６ｂに上方向の荷重が加わり、センスカム４６が正面視反時計回りに回転するように構成している。そして、センスカム４６が正面視反時計回りに回転した場合に、センスカム４６の突出部４６ａを介してスライダ４７を下方向にスライドさせることで、このスライダ４７の第１貫通孔４７ａに係合するスライドロック４３に対して下方向の力（スライドロック４３を規制位置に止まらせようとする力）が加わるように構成している。
【００４２】
このような構成とすることで、電気錠１０に対して故意に衝撃を与え、プランジャーを誤動作させることでスライドロック４３を許容位置まで移動させ、電気錠１０を解錠状態にするような不正行為を、未然に防止することができ、電気錠１０の安全性を高めることができる。
【００４３】
＜非常解錠機構＞
次に、図７と図８を用いて、非常解錠機構５０について説明する。なお、図７は、電気錠１０から施解錠機構４０と非常解錠機構５０を構成する主要部品だけを抜き出して示した正面図であり、図８は、図７を背面方向から見た背面図である。
【００４４】
非常解錠機構５０は、鍵が挿入可能な内筒５２と、この内筒５２が回転可能に挿入される外筒５３と、内筒５２の後端部に勘合される内筒テール５４と、水平方向にスライド可能な非常スライダ５５と、を有して構成されている。
【００４５】
内筒５２は、適合する非常鍵が挿入されていない状態では、外筒５３に対して回動不能な施錠状態となり、適合する非常鍵が挿入された状態では、外筒５３に対して回動可能な解錠状態となるものであり、内筒５２と外筒５３は、従来のシリンダ錠などを適用することができる。内筒テール５４は、内筒５２の後端部に嵌合され、内筒５２に連動して回動可能であり、回転軸から外周方向外側に偏心した位置に、後方に突出する突出部５４ａを有する。非常スライダ５５は、図７に示すように、一端側がセンスカム４６の切欠部４６ｃに係合される一方で、図８に示すように、他端側が内筒テール５４の突出部５４ａに係合されている。
【００４６】
＜非常解錠機構の基本動作＞
次に、図９を用いて、非常解錠機構５０の基本動作について説明する。なお、図９は、非常解錠機構５０の基本動作を説明するための説明図である。
【００４７】
内筒５２の鍵編成に適合する非常鍵を挿入し、内筒５２を時計回りに回動すると、内筒５２に連動して内筒テール５４が回動し、この内筒テール５４の突出部５４ａに係合された非常スライダ５５がセンスカム４６の方向にスライドする。非常スライダ５５の一端側はセンスカム４６の切欠部４６ｃに係合しているため、非常スライダ５５のスライドに連動してセンスカム４６が正面視時計回りに回動する。
【００４８】
さらに、センスカム４６はスライダ４７と係合しているため、スライダ４７が上方向にスライドし、これにより、スライダ４７に係合するスライドロック４３が規制位置から許容位置に移動し、電気錠１０の使用者は、ツマミ２２を用いてカム２０による施解錠操作を行うことが可能となる。
【００４９】
すなわち、電源部３０（本例では、電池）の電力が無くなった場合などの非常時においては、非常鍵を用いて内筒５２を回動することで、非常解錠機構５０によって施解錠機構４０を強制的に許容状態（スライドロック４３が許容位置に移動している状態）にすることが可能である。
【００５０】
以上説明したように、本実施実施形態に係る電気錠（例えば、電気錠１０）は、施錠位置および解錠位置の一方から他方に移動可能なカム（例えば、カム２０）と、前記カムを前記施錠位置および前記解錠位置の一方から他方に移動させるツマミ（例えば、ツマミ２２）と、前記ツマミを回動不能にする規制状態（例えば、スライドロック４３が規制位置に移動している状態）、および前記ツマミを回動可能にする許容状態（例えば、スライドロック４３が許容位置に移動している状態）の一方から他方に移行可能な施解錠機構（例えば、施解錠機構４０）と、前記施解錠機構に電力を供給する電源部（例えば、電源部３０）と、前記施解錠機構に前記電力が供給されていない状態において、前記施解錠機構を前記規制状態から前記許容状態に移行可能な非常解錠機構（例えば、非常解錠機構４０）と、を有して構成された電気錠において、前記施解錠機構、前記電源部、および、前記非常解錠機構を、一つのケース（例えば、ケース１２）に収容したことを特徴とする電気錠である。
【００５１】
本実施形態に係る電気錠によれば、従来よりも小型化が可能で、取付場所の自由度を向上することができる。
【００５２】
また、前記電気錠が扉に設置された状態において、前記電源部が、前記施解錠機構よりも前記扉の戸先から遠い位置に配置されてもよい。
【００５３】
このような構成とすれば、扉の開閉時に電気錠全体が受ける荷重を低減し、扉の開閉による電気錠の故障や劣化を未然に防止することができる。
【００５４】
また、前記施解錠機構は、ソレノイド（例えば、ソレノイド４４）によって駆動されるプランジャー（例えば、プランジャー４４ａ）を備え、前記プランジャーを前記ソレノイド側に移動させる第一の方向（例えば、上方向）の力が加えられた場合に、前記プランジャーに前記第一の方向とは反対の第二の方向（例えば、下方向）の力を加える衝撃対策機構を備えてもよい。
【００５５】
このような構成とすれば、外部からの衝撃による誤動作を防止し、電気錠の安全性を高めることができる。
【００５６】
また、前記衝撃対策機構は、回転自在に配設されたセンスカム（例えば、センスカム４６）と、前記センスカムの回転に伴って前記プランジャーに前記第二の方向の力を加えるスライダ（例えば、スライダ４７）と、を有して構成されていれば、外部からの衝撃による誤動作を防止し、電気錠の安全性を高めることができる上に、電気錠の小型化を図ることができる。
【００５７】
また、前記衝撃対策機構を構成する部品と、前記非常解錠機構を構成する部品の少なくとも一部（例えば、センスカム４６、スライダ４７）が兼用されていれば、電気錠の小型化を図ることができる。
【００５８】
なお、本発明に係る電気錠は、上記実施形態に係る電気錠１０の構成に限定されるものではなく、例えば、電気錠の電源部（駆動源）は４本の単三電池に限定されるものではない。
【００５９】
また、非常解錠機構を構成する錠前としてシリンダ錠を適用したが、他の種類の錠前を適用してもよい。また、施解錠機構をＩＣカードで制御する例を示したが、ＩＣタグなど、他の媒体で制御してもよい。
【産業上の利用可能性】
【００６０】
本発明に係る電気錠は、ロッカーやキャビネットなどの錠前として適用することができる。
【符号の説明】
【００６１】
１０  電気錠
１２  ケース
１４  化粧板
１５、４５  コイルスプリング
１６  ボタン
１８  ネジ
２０  カム
２２  ツマミ
２４  ラッチ
３０  電源部
４０  施解錠機構
４２  ロックカム
４３  スライドロック
４４  ソレノイド
４４ａ  プランジャー
４６  センスカム
４７  スライダ
４８  ピン
５０  非常解錠機構
５２  内筒
５３  外筒
５４  内筒テール
５５  非常スライダ
６０  電子基板
【図１】
0006503567.tif 000002
【図２】
0006503567.tif 000003
【図３】
0006503567.tif 000004
【図４】
0006503567.tif 000005
【図５】
0006503567.tif 000006
【図６】
0006503567.tif 000007
【図７】
0006503567.tif 000008
【図８】
0006503567.tif 000009
【図９】
0006503567.tif 000010